(57)【要約】【課題】  本発明は、引出しを装着したキャビネットが横壁に隣接して設置されている場合や、横幅の狭い引出しにおいても、引出し全体をキャビネットから抜き出すことなく引出しを装着したまま、引出し箱本体に対する引出し前板の取り付け位置やゆがみ調整が容易な引出しおよびその引出しを装着したキャビネットを提供することを目的とする。【解決手段】  引出し箱本体と引出し前板と、前記引出し箱本体の前方に前記引出し前板を位置させる取付具と、前記取付具を前記引出し箱本体の底面に固定する固定手段と、からなり、前記取付具は、前記固定手段が挿通される、前記引出し箱本体に対する前記引出し前板の取り付け位置を調整する取付孔を設けていることを特徴とする引出しおよびその引出しを装着したキャビネットを提供する。【選択図】図３
2008023230.tif 000002
【特許請求の範囲】
【請求項１】
引出し箱本体と引出し前板と、
前記引出し箱本体の前方に前記引出し前板を位置させる取付具と、
前記取付具を前記引出し箱本体の底面に固定する固定手段と、
からなり、
前記取付具は、
前記固定手段が挿通される、
前記引出し箱本体に対する前記引出し前板の取り付け位置を調整する取付孔を設けている
ことを特徴とする引出し。
【請求項２】
前記引出し箱本体の前面の上端に、
下方に開口するガイド溝が横幅方向に延設しており、
前記ガイド溝と着脱自在に係合する前記取付具の係合部と、
を備えることを特徴とする請求項１記載の引出し。
【請求項３】
請求項１または２に記載の引出しを、引出し収納空間に出し入れ自在に装着してなるキャビネット。
【発明の詳細な説明】
【技術分野】
【０００１】
本発明は、システムキッチンなどの台所家具やその他収納家具などのキャビネットに出し入れ自在に装着する引出しおよびその引出しを装着したキャビネットに関する。
【背景技術】
【０００２】
従来、引出しを備え付けたシステムキッチンや台所家具がある。（例えば、特許文献１参照。）このような引出しの前板を取り付ける構造として、Ｌ字形状の取付具の片面に左右方向に延びた長穴ともう一方の片面に上下方向に延びた長穴を設けている。この取付具の左右方向の長穴は前板とねじにより連結し、上下方向の長穴は引出しの側板側面にねじ連結している。これらの取付具の長穴は前板と引出し側板を固定しているねじを緩めることにより、それぞれ上下、左右の前板位置調整ができる構造となっている。
【０００３】
この引出しを備えたキャビネットが横壁に隣接して設置されたとき、引出しを取り外すことなく前板調整が出来るようにするため、ねじを緩める工具や作業スペースを確保するように取付具は引出しの内面に設置する場合がある。
【０００４】
しかし、取付具はねじ等が露出するため、食器などの収納物を損傷させる可能性があり外観的な意匠性も劣る。これを解決させるために取付具に保護カバーなどを設ける場合があるが組立作業が増える等、製造費用が高くなるため望ましくない。 
【特許文献１】特開２００１−１０４０７５号公報
【特許文献２】実開平４−２３９号公報
【発明の開示】
【発明が解決しようとする課題】
【０００５】
本発明は、引出しを装着したキャビネットが横壁に隣接して設置されている場合や、横幅の狭い引出しにおいても、引出し全体をキャビネットから抜き出すことなく、引出し箱本体に対する引出し前板の取り付け位置やゆがみ調整が容易な引出しおよびその引出しを装着したキャビネットを提供することにある。
【課題を解決するための手段】
【０００６】
本発明の一態様によれば、
引出し箱本体と引出し前板と、
前記引出し箱本体の前方に前記引出し前板を位置させる取付具と、
前記取付具を前記引出し箱本体の底面に固定する固定手段と、
からなり、
前記取付具は、
前記固定手段が挿通される、
前記引出し箱本体に対する前記引出し前板の取り付け位置を調整する取付孔を設けていることを特徴とする引出しが提供される。
【発明の効果】
【０００７】
本発明によれば、引出しを装着したキャビネットが横壁に隣接して設置されている場合や、横幅の狭い引出しにおいても、引出し全体をキャビネットから抜き出すことなく、引出し箱本体に対する引出し前板の取付位置やゆがみ調整を、容易に行うことができる。
【発明を実施するための最良の形態】
【０００８】
以下、本発明の実施の形態を図面に示す実施例を参照して説明する。図１は本発明の一実施例である引出しが備え付けられているキャビネットの斜視図を示す。
このキャビネット１は、本実施例において下側に引出し収納空間２ｂを、上側にカウンターを備え、さらにシンク１ａと加熱調理器１ｂとを備える。キャビネット１の引出し収納空間２ｂには、台所用品や食品、食器などの収納物を収納できる引出し２が設けられている。
【０００９】
図２に引出しの分解状態における斜視図を、図３に引出しの断面図を示す。引出し２は、引出し箱本体２ａと引出し前板である前板７からなる。この引出し箱本体２ａは、前枠３と背枠４と側板６で構成された枠体に底板５が組み込まれている。また、前枠３の前面の上端には、横幅方向に延びたガイド溝であるスライドガイド溝３ａが設けられている。前板７には、取付具８が取り付けてある。この取付具８は、底板５に対して垂直面をなす上端部８ｄと水平面をなす下端部８ｅとが組み合わさり、略Ｌ字形状をなしている。上端部８ｄの一端には、係合部８ｃが備わっている。前板７には、取付具８が３つ、前板７の横幅方向に対して前板７の裏面に左右両端とその中央に取付けてあり、それら取付具８が前板７を引出し２の前枠３の前方に位置させている。
【００１０】
取付具の部分詳細図を図４に、前枠の部分断面図を図５に示す。具体的にはＬ字形状の取付具８の上端部８ｄには上下方向に延びた長穴形状をした上下調整穴８ａが設けてあり、その穴に前板取付ねじ９を通して前板７と取付具８を連結している。ここで言う上下方向に延びた長穴形状とは、上下調整穴８ａにおいて、左右方向よりも上下方向が長く開口した穴の形状のことを言う。一方、取付具８の下端部８ｅには左右方向に延びた長穴形状をした取付孔である左右調整穴８ｂが設けてある。そして、固定手段として固定具取付ねじ１０を用い、左右調整孔８ｂに固定具取付ねじ１０を通して前枠３と取付具８を連結している。ここで言う左右方向に延びた長穴形状とは、左右調整穴８ｂにおいて、上下方向よりも左右方向に長く開口した穴の形状のことを言う。この状態のとき、係合部８ｃは、スライドガイド溝３ａに差し込こまれ、前板７の前後方向の動きを固定している。叉、前枠３は前板７との間に隙間を設け取付具８及び前板取付ねじ９が隠蔽できる構造になっている。
【００１１】
前板７の上下位置調整については、まず引出しを引き、ドライバ等を引出し箱本体２ａ内側から前板取付ねじ９に差し入れ、前板取付ねじ９を３つとも緩める。これにより、取付具８に設けてある上下調整穴８ａの長く開口した方の距離分だけ前板７を上下方向に移動させることができるので、任意の位置に前板７を移動させて、ドライバ等で前板取付ねじ９を３つとも締める。これにより、引出し箱本体２ａに対する前板７の上下位置調整を行うことができる。このとき、前枠の引出し内面に設けた貫通穴１１からドライバ等を通して前板取付ねじ９を緩めることで、前板７と連結されている取付具８を取り外すことなく容易に上下調整できる構造である。叉、外観の意匠性を向上させるため貫通穴１１に図示しないが化粧カバーを取り付けている。
【００１２】
次に、前板７の左右位置調整については、まず引出しを引き、ドライバ等を引出し箱本体２ａの下側から取付具固定ねじ１０に差し入れ、取付具固定ねじ１０を３つとも緩める。これにより、取付具８に設けてある左右調整穴８ｂの長く開口した方の距離分だけ前板７を左右方向に移動させることができるので、任意の位置に前板７を移動させて、取付具固定ねじ１０を３つとも締める。これにより、引出し箱本体２ａに対する前板７の左右位置調整を行うことができる。叉、取付具８の上端部８ｃを前枠３のスライドガイド溝３ａに差し込んだ構造にすることにより、取付具８の取付ねじ数を増やさずに上端部８ｃの固定力を強めることができる構造である。更にスライドガイド溝３ａの溝に沿って取付具８が左右に移動できる構造であるため、任意の位置に調整が容易である。
【００１３】
取付具固定ねじ１０は前枠３の底面に設けているため、引出し内に収納物がある場合や横幅が小さい引出しにおいても作業スペースを確保することができ、引出しを取り外すことなく容易に左右調整を行える構造である。なお、本実施例においては固定手段としてねじを用いているが、この発明にあってはこれに限定されるものではなく、着脱可能でありその着脱においてドライバ等の長手の着脱治具を用いるものであればよい。
【００１４】
従って、この実施の形態によれば、上下および左右の調整穴の長く開口した方の距離分だけ、引出し箱本体に対する引出し前板の上下および左右方向への調整を行うことが可能である。さらに、引出しを装着したキャビネットが横壁に隣接して設置されている場合や、ドライバ等の長さよりも狭い横幅の引出しにおいても、引出し全体をキャビネットから抜き出すことなく引出し前板の取り付け位置やゆがみ調整を容易に行うことができる。
【図面の簡単な説明】
【００１５】
【図１】本発明の一実施例である引出しが組み込まれたキャビネットの斜視図。
【図２】本発明の一実施例である引出しの分解状態における斜視図
【図３】本発明の一実施例である引出しの断面図。
【図４】本発明にかかる固定具の部分詳細図。
【図５】本発明にかかる前枠の部分断面図。
【符号の説明】
【００１６】
１ キャビネット
１ａ シンク
１ｂ 加熱調理器
２ 引出し
２ａ 引出し箱本体
２ｂ 引出し収納空間
３ 前枠
３ａ スライドガイド溝
３ｂ ねじ穴
４ 背枠
５ 底板
６ 側板
７ 前板
８ 取付具
８ａ 上下調整穴
８ｂ 左右調整穴
８ｃ 係合部
８ｄ 上端部
８ｅ 下端部
９ 前板取付ねじ
１０ 取付具固定ねじ
１１ 貫通穴
【図１】
2008023230.tif 000003
【図２】
2008023230.tif 000004
【図３】
2008023230.tif 000005
【図４】
2008023230.tif 000006
【図５】
2008023230.tif 000007